(57)【特許請求の範囲】
【請求項１】
第１デバイスで処理される色データＤを第２デバイスで処理される色データＤ′に変換する色変換テーブルの作成方法において、
少なくとも一部の前記色データＤ、Ｄ′における特定範囲の網点面積率を保存する拘束条件を設定し、少なくとも一部の前記色データＤ、Ｄ′間の色変換テーブルを前記拘束条件に基づいて作成する一方、残りの前記色データＤ、Ｄ′間の色変換テーブルを測色的に対応させて作成することを特徴とする色変換テーブル作成方法。
【請求項２】
請求項１記載の方法において、
前記特定範囲は、前記色データＤ、Ｄ′のハイライト側および／またはシャドー側に設定されることを特徴とする色変換テーブル作成方法。
【請求項３】
請求項１記載の方法において、
前記拘束条件は、前記拘束条件が設定されていない範囲から前記特定範囲側に向かって、前記色データＤ、Ｄ′の網点面積率を徐々に一致させる条件からなることを特徴とする色変換テーブル作成方法。
【請求項４】
請求項３記載の方法において、
前記条件は、前記特定範囲の網点面積率と前記拘束条件が設定されていない範囲の網点面積率とを補間処理して求めることを特徴とする色変換テーブル作成方法。
【請求項５】
請求項１記載の方法において、
前記拘束条件は、少なくとも一部の前記色データＤ、Ｄ′のドットゲインによる網点面積率の変動分を調整した条件であることを特徴とする色変換テーブル作成方法。
【請求項６】
第１デバイスで処理される色データＤを第２デバイスで処理される色データＤ′に変換する色変換テーブルの作成装置において、
少なくとも一部の前記色データＤ、Ｄ′における特定範囲の網点面積率を保存する拘束条件を設定する拘束条件設定手段と、
少なくとも一部の前記色データＤ、Ｄ′間の色変換テーブルを前記拘束条件に基づいて作成する一方、残りの前記色データＤ、Ｄ′間の色変換テーブルを測色的に対応させて作成する色変換テーブル作成手段と、
を備えることを特徴とする色変換テーブル作成装置。
【請求項７】
請求項６記載の装置において、
前記拘束条件設定手段は、種々の前記拘束条件を記憶する拘束条件記憶手段と、
前記拘束条件記憶手段から所望の拘束条件を選択する拘束条件選択手段と、
を備えることを特徴とする色変換テーブル作成装置。
【請求項８】
請求項６記載の装置において、
全ての前記色データＤ、Ｄ′間の測色的に対応する色変換テーブルを記憶する色変換テーブル記憶手段を備え、
前記色変換テーブル作成手段は、前記拘束条件に基づき、前記色変換テーブルを変更し、新たな色変換テーブルを作成することを特徴とする色変換テーブル作成装置。
【請求項９】
請求項８記載の装置において、
前記色変換テーブル記憶手段は、
前記色データＤと測色データとの変換関係を表す第１プロファイルを記憶する第１プロファイル記憶部と、
前記測色データと前記色データＤ′との変換関係を表す第２プロファイルを記憶する第２プロファイル記憶部と、
を備えることを特徴とする色変換テーブル作成装置。
【請求項１０】
請求項９記載の装置において、
前記第１プロファイルは、印刷機の印刷条件に対応して設定されるプロファイルであり、
前記第２プロファイルは、プリンタの出力条件に対応して設定されるプロファイルであることを特徴とする色変換テーブル作成装置。
【請求項１１】
第１デバイスで処理される色データＤからなる画像データを、色変換テーブルを用いて第２デバイスで処理される色データＤ′からなる画像データに変換し、前記第１デバイスで作成される画像のプルーフを前記第２デバイスにより作成するプルーフ作成装置において、
少なくとも一部の前記色データＤ、Ｄ′における特定範囲の網点面積率を保存する拘束条件を設定する拘束条件設定手段と、
少なくとも一部の前記色データＤ、Ｄ′間の色変換テーブルを前記拘束条件に基づいて作成する一方、残りの前記色データＤ、Ｄ′間の色変換テーブルを測色的に対応させて作成する色変換テーブル作成手段と、
前記色変換テーブル作成手段によって作成された前記色変換テーブルを用いて前記色データＤを前記色データＤ′に変換する色変換手段と、
前記色データＤ′に基づいて前記プルーフを出力するプルーフ出力手段と、
を備えることを特徴とするプルーフ作成装置。
【請求項１２】
請求項１１記載の装置において、
前記拘束条件設定手段は、種々の前記拘束条件を記憶する拘束条件記憶手段と、
前記拘束条件記憶手段から所望の拘束条件を選択する拘束条件選択手段と、
を備えることを特徴とするプルーフ作成装置。
【請求項１３】
請求項１１記載の装置において、
全ての前記色データＤ、Ｄ′間の測色的に対応する色変換テーブルを記憶する色変換テーブル記憶手段を備え、
前記色変換テーブル作成手段は、前記拘束条件に基づき、前記色変換テーブルを変更し、新たな色変換テーブルを作成することを特徴とするプルーフ作成装置。
【請求項１４】
請求項１１記載の装置において、
前記プルーフ出力手段は、プリンタであることを特徴とするプルーフ作成装置。
【発明の詳細な説明】
【０００１】
【発明の属する技術分野】
本発明は、第１デバイスで処理される色データを第２デバイスで処理される色データに変換する色変換テーブルの作成方法および装置並びにこの色変換テーブルを用いたプルーフ作成装置に関する。
【０００２】
【従来の技術】
例えば、カラー画像を印刷物として作成する場合、所望の印刷物を得るためには、印刷に使用するインクの種類、印刷用紙、印刷物を観察する照明等の各種印刷条件を考慮する必要がある。これらの印刷条件を設定するためには、種々の印刷条件で印刷を行えばよいが、このような多数の印刷条件の全ての組み合わせに対応させてテスト印刷を行うことは非現実的である。テスト印刷のために多大な時間とコストを浪費することになるからである。
【０００３】
そこで、実際に印刷を行うことなく、印刷物の仕上がり状態を簡便にシミュレーションすることを可能とした印刷プルーフ作成装置が開発されている。この印刷プルーフ作成装置では、印刷物の作成に提供される印刷用画像データに対して、種々の印刷条件を考慮した変換処理を行うことで、予測される印刷物の色のデバイスインディペンデントな測色データを生成した後、この測色データを印刷プルーフ作成装置の特性を考慮したプルーフ用画像データに変換処理し、次いで、前記プルーフ用画像データに基づいてプルーフを作成するようにしている。
【０００４】
この場合、印刷条件は、印刷用画像データを測色データに変換する変換テーブルによって自由に設定することができるため、容易且つ安価にプルーフを作成し、そのプルーフから所望の印刷物を得ることのできる印刷条件を決定することが可能である。
【０００５】
ところで、カラー印刷物の全ての色は、原理的には、Ｃ（シアン）、Ｍ（マゼンタ）、Ｙ（イエロー）の３色によって形成することができるが、これらの３色を構成するインクは、必ずしも理想的な分光特性を有しているとは限らない。そこで、このような不具合を補完するために、通常、Ｋ（黒色）のインクをさらに加え、４色でカラー印刷物を形成するようにしている。従って、より高精度なプルーフを作成するため、印刷プルーフ作成装置においても、同様にして、Ｃ、Ｍ、Ｙ、Ｋの４色が用いられる。
【０００６】
ここで、印刷物とプルーフとが測色的に一致しているからといって、必ずしも十分とは言えない場合がある。最も顕著な例として、網点によって構成される印刷物がＫのインクのみで形成されるのにも拘わらず、プルーフをそれと測色的に等価なＣ、Ｍ、Ｙの組み合わせで形成した場合、プルーフをミクロ的に見たときに観察者に違和感を与えるおそれがある。また、印刷物がＹのインクのみで形成されているにも拘わらず、プルーフでは、Ｙの他にＭが混在することもある。さらに、印刷物とプルーフの網点面積率が異なると、測色的には一致していても、見た目が異なって感じられる場合がある。これは、特に、画像のハイライト部やシャドー部において顕著に表れる。ドットゲインの差異についても同様な問題がある。
【０００７】
【発明が解決しようとする課題】
本発明は、第１デバイスで処理される所望の色データを拘束した状態で、第２デバイスで処理される色データに変換することのできる色変換テーブルの作成方法および装置を提供することを目的とする。
【０００８】
また、本発明は、第１デバイスにより作成される画像のプルーフを第２デバイスで作成して評価する際、評価の内容に対応した違和感のないプルーフを作成することのできるプルーフ作成装置を提供することを目的とする。
【０００９】
【課題を解決するための手段】
前記の課題を解決するために、本発明は、第１デバイスで処理される色データＤを第２デバイスで処理される色データＤ′に変換する色変換テーブルの作成方法において、
少なくとも一部の前記色データＤ、Ｄ′における特定範囲の網点面積率を保存する拘束条件を設定し、少なくとも一部の前記色データＤ、Ｄ′間の色変換テーブルを前記拘束条件に基づいて作成する一方、残りの前記色データＤ、Ｄ′間の色変換テーブルを測色的に対応させて作成することを特徴とする。
【００１０】
また、本発明は、第１デバイスで処理される色データＤを第２デバイスで処理される色データＤ′に変換する色変換テーブルの作成装置において、
少なくとも一部の前記色データＤ、Ｄ′における特定範囲の網点面積率を保存する拘束条件を設定する拘束条件設定手段と、
少なくとも一部の前記色データＤ、Ｄ′間の色変換テーブルを前記拘束条件に基づいて作成する一方、残りの前記色データＤ、Ｄ′間の色変換テーブルを測色的に対応させて作成する色変換テーブル作成手段と、
を備えることを特徴とする。
【００１１】
さらに、本発明は、第１デバイスで処理される色データＤからなる画像データを、色変換テーブルを用いて第２デバイスで処理される色データＤ′からなる画像データに変換し、前記第１デバイスで作成される画像のプルーフを前記第２デバイスにより作成するプルーフ作成装置において、
少なくとも一部の前記色データＤ、Ｄ′における特定範囲の網点面積率を保存する拘束条件を設定する拘束条件設定手段と、
少なくとも一部の前記色データＤ、Ｄ′間の色変換テーブルを前記拘束条件に基づいて作成する一方、残りの前記色データＤ、Ｄ′間の色変換テーブルを測色的に対応させて作成する色変換テーブル作成手段と、
前記色変換テーブル作成手段によって作成された前記色変換テーブルを用いて前記色データＤを前記色データＤ′に変換する色変換手段と、
前記色データＤ′に基づいて前記プルーフを出力するプルーフ出力手段と、
を備えることを特徴とする。
【００１２】
この場合、例えば、Ｃ、Ｍ、Ｙ、Ｋから選択した特定の１次色データまたは２次色データの変換関係を拘束するように拘束条件を設定した場合、第１デバイスで処理される画像データが前記特定の１次色データまたは２次色データのみからなるときには、第２デバイスで処理される画像データが前記特定の１次色データまたは２次色データのみからなるように変換される。従って、このような拘束条件に基づいて設定された色変換テーブルを用いて、第１デバイスで処理される画像データを第２デバイスで処理される画像データに変換した後、プリンタ等を用いてプルーフを作成することにより、第１デバイスで作成される画像と第２デバイスで作成される前記プルーフとを、選択された特定の１次色または２次色において違和感のない状態で比較評価することができる。
【００１３】
また、色データＤ、Ｄ′の特定範囲の網点面積率を保存するように拘束条件を設定した場合、設定した特定範囲において、第１デバイスで作成される画像と第２デバイスで作成されるプルーフとの網点面積率を一致させることができ、違和感のない状態で画像の比較評価を行うことができる。なお、特定範囲の網点面積率を保存する拘束条件は、特定の色データＤ、Ｄ′毎に設定することができる。また、前記特定範囲とそれ以外の範囲との間に、接続範囲を拘束条件として設定することにより、前記特定範囲では、第１デバイスで作成される画像と第２デバイスで作成されるプルーフとの網点面積率を一致させ、前記それ以外の範囲では、色変換テーブルを用いて測色的に対応するプルーフを作成し、接続範囲では、網点面積率が違和感なく連続するプルーフを作成することができる。
【００１４】
さらに、色データＤ、Ｄ′のドットゲインを保存するように拘束条件を設定した場合には、第１デバイスで作成される画像と第２デバイスで作成されるプルーフとを、ドットゲインを一致させた状態で比較評価することができる。
【００１５】
【発明の実施の形態】
図１は、本実施形態の印刷プルーフ作成装置１０の全体構成ブロック図である。
【００１６】
印刷プルーフ作成装置１０は、Ｃ（シアン）、Ｍ（マゼンタ）、Ｙ（イエロー）、Ｋ（黒色）の４色に分解された印刷用画像データＣ、Ｍ、Ｙ、Ｋに基づいて印刷機１２（第１デバイス）により作成される印刷物のプルーフを、プリンタ１６（第２デバイス、プルーフ出力手段）を用いて作成し評価するための装置である。この印刷プルーフ作成装置１０は、前記印刷用画像データＣ、Ｍ、Ｙ、Ｋからなる色データＤを対応する４色のプルーフ用画像データＣ′、Ｍ′、Ｙ′、Ｋ′からなる色データＤ′に変換する色変換テーブルが設定された色変換部１４（色変換手段）を有する。
【００１７】
また、印刷プルーフ作成装置１０は、色変換部１４に設定される色変換テーブルを作成する色変換テーブル作成部１８（色変換テーブル作成手段）を有する。色変換テーブル作成部１８には、印刷機１２によって作成される印刷物の印刷条件に応じて設定された印刷プロファイルを記憶する印刷プロファイル記憶部１９（第１プロファイル記憶部）と、プリンタ１６によって作成されるプルーフの出力条件に応じて設定されたプリンタプロファイルを記憶するプリンタプロファイル記憶部２１（第２プロファイル記憶部）が接続される。なお、印刷プロファイル記憶部１９およびプリンタプロファイル記憶部２１は、色変換テーブル記憶手段を構成する。
【００１８】
ここで、印刷条件とは、例えば、印刷に使用されるインク、印刷用紙、印刷時における印圧、印刷機１２の固有の特性等の条件であり、印刷プロファイルは、これらの印刷条件の組み合わせに対応して複数設定される。また、出力条件とは、例えば、プリントアウトに使用されるインク、プリント用紙、プリンタ１６の固有の特性等の条件であり、プリンタプロファイルは、これらの出力条件の組み合わせに対応して複数設定される。
【００１９】
さらに、色変換テーブル作成部１８には、色変換テーブルの作成に際して付加される拘束条件を取得する拘束条件取得部２３が接続される。拘束条件取得部２３は、拘束条件記憶部２５（拘束条件記憶手段）に予め設定記憶されている拘束条件、あるいは、拘束条件設定部２７を用いてオペレータにより設定される拘束条件を取得し、色変換テーブル作成部１８に供給する。なお、拘束条件取得部２３（拘束条件選択手段）は、拘束条件設定部２７を用いてオペレータにより入力された情報に基づき、拘束条件記憶部２５から所望の拘束条件を選択して色変換テーブル作成部１８に供給してもよい。
【００２０】
これらの拘束条件取得部２３、拘束条件記憶部２５および拘束条件設定部２７は、拘束条件設定手段を構成する。また、この拘束条件設定手段、色変換テーブル作成部１８、印刷プロファイル記憶部１９およびプリンタプロファイル記憶部２１は、本実施形態の色変換テーブル作成装置を構成する。
【００２１】
本実施形態の印刷プルーフ作成装置１０は、基本的には以上のように構成されるものであり、次に、この印刷プルーフ作成装置１０における色変換テーブルの作成方法について説明する。
【００２２】
先ず、図２および図３に基づき、拘束条件が設定される前の基本となる色変換テーブルの作成方法について説明する。
【００２３】
基本となる色変換テーブルは、印刷プロファイル記憶部１９に記憶される印刷プロファイル２２と、プリンタプロファイル記憶部２１に記憶されるプリンタプロファイル２４と、Ｋ階調変換テーブル２６とを組み合わせて作成される。
【００２４】
印刷プロファイル２２は、印刷用画像データＣ、Ｍ、Ｙ、Ｋからなる色データＤをデバイスインディペンデントな画像データであるＣＩＥ表色系の測色データＬ*、ａ*、ｂ*に変換する変換テーブルである。この印刷プロファイル２２は、例えば、印刷用画像データＣ、Ｍ、Ｙ、Ｋから印刷機１２によって所定の印刷条件で印刷された印刷物の測色データＬ*、ａ*、ｂ*を測色して求め、前記印刷用画像データＣ、Ｍ、Ｙ、Ｋを前記測色データＬ*、ａ*、ｂ*に変換する関係として求めることができる。
【００２５】
また、プリンタプロファイル２４は、測色データＬ*、ａ*、ｂ*をプリンタ１６の出力特性に応じたプルーフ用画像データＣ′、Ｍ′、Ｙ′、Ｋ′からなる色データＤ′に変換する変換テーブルである。プリンタプロファイル２４は、プリンタ１６の出力特性に対応して設定されるものであり、図３に示すフローチャートに従って求めることができる。
【００２６】
先ず、プルーフ用画像データＫ′を面積率で０％とし、残りのプルーフ用画像データＣ′、Ｍ′、Ｙ′を１０％刻みとした複数のプルーフ用画像データＣ′、Ｍ′、Ｙ′、Ｋ′を生成し（ステップＳ１）、このプルーフ用画像データＣ′、Ｍ′、Ｙ′、Ｋ′を用いてプリンタ１６により複数のパッチからなるチャートを出力する（ステップＳ２）。次いで、各パッチの測色データＬ*、ａ*、ｂ*を測色計を用いて測色する（ステップＳ３）。そして、前記プルーフ用画像データＣ′、Ｍ′、Ｙ′、Ｋ′（０％）を前記測色データＬ*、ａ*、ｂ*に変換する順変換テーブルＬＵＴ（Ｃ′Ｍ′Ｙ′Ｋ′→Ｌａｂ）を求める（ステップＳ４）。
【００２７】
次に、前記順変換テーブルＬＵＴ（Ｃ′Ｍ′Ｙ′Ｋ′→Ｌａｂ）を用いて、プルーフ用画像データＫ′（０％）に対する測色データＬ*、ａ*、ｂ*をプルーフ用画像データＣ′、Ｍ′、Ｙ′に変換する逆変換テーブルＬＵＴ（ＬａｂＫ′→Ｃ′Ｍ′Ｙ′）を求める（ステップＳ５）。この場合、逆変換テーブルＬＵＴ（ＬａｂＫ′→Ｃ′Ｍ′Ｙ′）は、逐次近似法の代表例であるニュートン法を用いて求めることができる。
【００２８】
次いで、プルーフ用画像データＫ′を面積率で１０％、２０％、…、１００％とし（ステップＳ６）、同様にしてステップＳ１〜Ｓ５の処理を繰り返すことにより、一定のプルーフ用画像データＫ′に対する測色データＬ*、ａ*、ｂ*をプルーフ用画像データＣ′、Ｍ′、Ｙ′に変換する逆変換テーブルＬＵＴ（ＬａｂＫ′→Ｃ′Ｍ′Ｙ′）をそれぞれ求める（ステップＳ７）。
【００２９】
以上のようにして求められた複数の逆変換テーブルＬＵＴ（ＬａｂＫ′→Ｃ′Ｍ′Ｙ′）は、プリンタプロファイル２４としてプリンタプロファイル記憶部２１に記憶される。
【００３０】
Ｋ階調変換テーブル２６は、プリンタ１６の出力特性に応じて印刷用画像データＫを階調変換し、プルーフ用画像データＫ′を作成するものであり、印刷用画像データＫのみによって作成された印刷物の測色値と、プルーフ用画像データＫ′のみによって作成されたプルーフの測色値とが等しくなるように設定される。
【００３１】
色変換テーブル作成部１８は、以上のようにして設定された印刷プロファイル２２、プリンタプロファイル２４およびＫ階調変換テーブル２６を合成し、印刷用画像データＣ、Ｍ、Ｙ、Ｋからなる色データＤをプルーフ用画像データＣ′、Ｍ′、Ｙ′、Ｋ′からなる色データＤ′に変換するＫが保存された色変換テーブルを作成する。
【００３２】
次に、色変換テーブル作成部１８は、前記のようにして作成された色変換テーブルを拘束条件に応じて変更し、新たな色変換テーブルを作成する。
【００３３】
図４は、混色を防止するための拘束条件を設定する表示画面を示す。この表示画面では、Ｃ、Ｍ、Ｙ、Ｋの１次色データあるいはＲ、Ｇ、Ｂの２次色データの変換関係を拘束する拘束条件を設定することができる。そこで、オペレータが、拘束条件設定部２７を用いて、例えば、Ｙの１次色データと、Ｒ（＝Ｍ＋Ｙ）およびＧ（＝Ｃ＋Ｙ）の２次色データを拘束する拘束条件を設定したとする。
【００３４】
この場合、図２に示す印刷プロファイル２２、プリンタプロファイル２４およびＫ階調変換テーブル２６を合成してなる色変換テーブルをＬＵＴ（ＣＭＹＫ→Ｃ′Ｍ′Ｙ′Ｋ′）と表記すると、色変換テーブル作成部１８は、拘束条件取得部２３によって所得されたＹの１次色データを拘束する拘束条件に対して、印刷用画像データＣ＝Ｍ＝Ｋ＝０のときの印刷用画像データＹをプルーフ用画像データＣ′、Ｍ′、Ｙ′、Ｋ′に変換する色変換テーブルＬＵＴ（００Ｙ０→Ｃ′Ｍ′Ｙ′Ｋ′）のデータを、プルーフ用画像データＣ′＝Ｍ′＝Ｋ′＝０として、ＬＵＴ（００Ｙ０→００Ｙ′０）に変更し、色変換部１４に設定する。
【００３５】
同様にして、色変換テーブル作成部１８は、ＲおよびＧの２次色データを拘束する拘束条件に対して、色変換テーブルＬＵＴ（０ＭＹ０→Ｃ′Ｍ′Ｙ′Ｋ′）およびＬＵＴ（Ｃ０Ｙ０→Ｃ′Ｍ′Ｙ′Ｋ′）を、色変換テーブルＬＵＴ（０ＭＹ０→０Ｍ′Ｙ′０）およびＬＵＴ（Ｃ０Ｙ０→Ｃ′０Ｙ′０）に変更し、色変換部１４に設定する。
【００３６】
以上のようにして、色変換部１４に拘束条件が設定された新たな色変換テーブルを設定した後、任意の印刷用画像データＣ、Ｍ、Ｙ、Ｋをこの拘束条件付きの色変換テーブルによってプルーフ用画像データＣ′、Ｍ′、Ｙ′、Ｋ′に変換し、プリンタ１６に供給する。プリンタ１６は、前記プルーフ用画像データＣ′、Ｍ′、Ｙ′、Ｋ′に基づいてプルーフを作成する。
【００３７】
この場合、前記プルーフは、印刷用画像データＣ、Ｍ、Ｙ、ＫがＹのみの画像データ、Ｒのみの画像データまたはＧのみの画像データからなる場合、他の色が混色することのないプルーフが作成される。従って、プルーフを拡大して観察したような場合であっても、印刷物と色が一致しているので、違和感のない状態で印刷条件の評価を行うことができる。
【００３８】
なお、複数の拘束条件の組を拘束条件記憶部２５に予め設定しておき、オペレータが拘束条件設定部２７を用いて指定した情報に基づき、拘束条件取得部２３が所望の拘束条件を拘束条件記憶部２５から選択して色変換テーブル作成部１８に供給し、色変換テーブルを作成するようにしてもよい。
【００３９】
図５は、特定範囲の画像の面積率を一致させることのできる拘束条件を設定した場合の説明図である。この図面に示すように、オペレータは、印刷用画像データＣ、Ｍ、Ｙ、Ｋの各１次色データとプルーフ用画像データＣ′、Ｍ′、Ｙ′、Ｋ′の各１次色データとの間で、網点面積率を一致させる面積率一致範囲２８ａ、２８ｂ、基本とする色変換テーブルを変更することなく色を一致させる色一致範囲３０、および、面積率一致範囲２８ａ、２８ｂと色一致範囲３０との間に設定され、網点面積率の一致状態から色の一致状態へと徐々に移行させる接続範囲３２ａ、３２ｂを任意に設定することができる。なお、面積率一致範囲２８ａおよび接続範囲３２ａは、画像のハイライト側に設定される範囲であり、面積率一致範囲２８ｂおよび接続範囲３２ｂは、画像のシャドー（べた画像）側に設定される範囲である。
【００４０】
この場合、色変換テーブル作成部１８は、面積率一致範囲２８ａ、２８ｂに対しては、印刷用画像データＣ、Ｍ、Ｙ、Ｋのそれぞれがプルーフ用画像データＣ′、Ｍ′、Ｙ′、Ｋ′に等しくなるように色変換テーブルＬＵＴ（ＣＭＹＫ→Ｃ′Ｍ′Ｙ′Ｋ′）を変更する。また、接続範囲３２ａ、３２ｂに対しては、印刷用画像データＣ、Ｍ、Ｙ、Ｋのそれぞれがプルーフ用画像データＣ′、Ｍ′、Ｙ′、Ｋ′に等しくなる関係から、色一致範囲３０に対応して既に設定されている色変換テーブルＬＵＴ（ＣＭＹＫ→Ｃ′Ｍ′Ｙ′Ｋ′）の関係に徐々に移行するように、補間処理によって色変換テーブルＬＵＴ（ＣＭＹＫ→Ｃ′Ｍ′Ｙ′Ｋ′）を変更する。色一致範囲３０に対しては、色変換テーブルＬＵＴ（ＣＭＹＫ→Ｃ′Ｍ′Ｙ′Ｋ′）がそのままに保持される。このようにして変更された色変換テーブルＬＵＴ（ＣＭＹＫ→Ｃ′Ｍ′Ｙ′Ｋ′）は、色変換部１４に設定される。
【００４１】
図６に示す実線は、印刷用画像データＣをプルーフ用画像データＣ′に変換する場合を例とした色変換部１４に設定される色変換テーブルＬＵＴ（ＣＭＹＫ→Ｃ′Ｍ′Ｙ′Ｋ′）である。
【００４２】
以上のようにして設定された色変換テーブルを用いて、任意の印刷用画像データＣ、Ｍ、Ｙ、Ｋをプルーフ用画像データＣ′、Ｍ′、Ｙ′、Ｋ′に変換し、プリンタ１６を用いてプルーフを作成した場合、面積率一致範囲２８ａ、２８ｂでは、印刷物とプルーフとの面積率とが一致しているため、面積率において違和感のない画像同士を比較して評価することができる。特に、面積率の変動の影響が顕著である画像のハイライト近傍において、違和感のないプルーフを得ることができるので、より有効にプルーフの評価を行うことができる。
【００４３】
色変換テーブル作成部１８では、さらに、印刷物とプルーフとの間でドットゲインを一致させる拘束条件に従って、色変換テーブルＬＵＴ（ＣＭＹＫ→Ｃ′Ｍ′Ｙ′Ｋ′）を変更することができる。
【００４４】
すなわち、印刷用画像データＣ、Ｍ、Ｙ、Ｋ（プルーフ用画像データＣ′、Ｍ′、Ｙ′、Ｋ′）と印刷物（プルーフ）の輝度Ｌ*との間には、印刷用紙（プルーフ用紙）やインクの特性に基づくドットゲインの影響により、図７の実線に示すような入出力の関係がある。この関係を考慮して、色変換テーブルＬＵＴ（ＣＭＹＫ→Ｃ′Ｍ′Ｙ′Ｋ′）を変更することにより、ドットゲインの影響をプルーフ上で再現し、より高精度な画像の評価を行うことができる。
【００４５】
具体的には、印刷用紙自体の輝度をＴ０、印刷用紙に対して印刷用画像データＣ、Ｍ、Ｙ、Ｋのいずれか１つの単色でインクをべた（網１００％）として記録したときの輝度をＴ１、網点面積率がｔで前記インクを記録したときの輝度をＴｔとすると、印刷物の実効網点面積率Ｔｅは、
Ｔｅ＝（Ｔ０−Ｔｔ）／（Ｔ０−Ｔ１）                    …（１）
である。また、プルーフ用紙自体の輝度をＰ０、プルーフ用紙に対して印刷用画像データＣ、Ｍ、Ｙ、Ｋに対応するプルーフ用画像データＣ′、Ｍ′、Ｙ′、Ｋ′のいずれか１つの単色でインクをべた（網１００％）として記録したときの輝度をＰ１、網点面積率がｐで前記インクを記録したときの輝度をＰｐとすると、プルーフの実効網点面積率Ｐｅは、
Ｐｅ＝（Ｐ０−Ｐｐ）／（Ｐ０−Ｐ１）                    …（２）
である。
【００４６】
印刷物の実効網点面積率Ｔｅとプルーフの実効網点面積率Ｐｅとを一致させるためには、（１）式と（２）式が等しいと置いて、
ｐ＝Ｐ-1｛Ｐ０−（Ｔ０−Ｔｔ）・（Ｐ０−Ｐｐ）／（Ｔ０−Ｔ１）｝…（３）
として、プルーフの網点面積率ｐと印刷物の網点面積率ｔとの関係を求めることができる。なお、（３）式において、Ｐ-1は、Ｐｐの逆関数である。
【００４７】
そこで、特定の１次色データのドットゲインを保存する拘束条件を設定した場合、特定の１次色データに対する色変換テーブルＬＵＴ（ＣＭＹＫ→Ｃ′Ｍ′Ｙ′Ｋ′）を（３）式に従って変更することにより、新たな色変換テーブルＬＵＴ（ＣＭＹＫ→Ｃ′Ｍ′Ｙ′Ｋ′）を得ることができる。
【００４８】
図８は、他の実施形態に係る拘束条件の設定画面を示す。この設定画面では、１次色データおよび２次色データを同時に拘束するか否かを設定することができる。１次色データおよび２次色データを同時に拘束する拘束条件が設定された場合には、Ｃ、Ｍ、Ｙ、Ｋ、Ｒ、Ｇ、Ｂの全ての色データが変換の前後において拘束されることになる。
【００４９】
また、図８の設定画面においては、Ｃ、Ｍ、Ｙ、Ｋの各１次色データに対して網点面積率をどの範囲で一致させるのかを指定することができる。なお、図８に示す実施形態では、１次色データのハイライト（０％）およびシャドー（１００％）で網点面積率が一致する拘束条件が設定されている。
【００５０】
なお、上述した実施形態では、印刷用画像データＫとプルーフ用画像データＫ′との関係を固定して色変換テーブルを作成した後、拘束条件に従って新たな拘束条件付き色変換テーブルを作成するようにしているため、Ｋ（黒色）に対しては、常時拘束された関係が得られることになる。
【００５１】
これに対して、基本となる色変換テーブルをＫ（黒色）を固定しない状態で作成した後、Ｋ（黒色）を含む印刷用画像データＣ、Ｍ、Ｙ、Ｋに対して図４に示す混色防止の拘束条件設定を行うようにすることもできる。同様にして、図５に示す面積率一致優先の拘束条件の設定、ドットゲイン一致の拘束条件の設定を行うことができる。
【００５２】
また、上述した実施形態では、色変換テーブル作成部１８において、拘束条件を設定する前の基本となる色変換テーブルを作成した後、その色変換テーブルを拘束条件に従って変更するようにしているが、初めから拘束条件を加味して色変換テーブルを作成するようにしてもよい。
【００５３】
【発明の効果】
以上のように、本発明によれば、第１デバイスで処理される所望の色データを拘束した状態で、第２デバイスで処理される色データに変換することのできる色変換テーブルを作成することができる。
【００５４】
また、前記の色変換テーブルを用いることにより、第１デバイスにより作成される画像のプルーフを第２デバイスで作成して評価する際、評価の内容に対応した違和感のないプルーフを作成することができる。
【００５５】
例えば、第１デバイスで作成される画像と第２デバイスで作成されるプルーフとを、選択された特定の１次色または２次色において違和感のない状態で比較評価することができる。
【００５６】
また、第１デバイスで作成される画像と第２デバイスで作成されるプルーフとの網点面積率を一致させることができ、違和感のない状態で画像の比較評価を行うことができる。
【００５７】
さらに、第１デバイスで作成される画像と第２デバイスで作成されるプルーフとを、ドットゲインを一致させた状態で比較評価することができる。
【図面の簡単な説明】
【図１】本発明の色変換テーブル作成方法および装置並びにプルーフ作成装置が適用される印刷プルーフ作成装置の概略構成ブロック図である。
【図２】基本となる色変換テーブルの作成方法を説明するためのブロック図である。
【図３】図２に示すプリンタプロファイルを作成する方法のフローチャートである。
【図４】混色防止のための拘束条件を設定する表示画面の説明図である。
【図５】面積率一致優先のための拘束条件を設定する説明図である。
【図６】面積率一致優先のための拘束条件に従って変更された色変換テーブルの説明図である。
【図７】ドットゲインによる画像データと輝度との関係説明図である。
【図８】混色防止および面積率一致優先のための拘束条件を設定する画面の説明図である。
【符号の説明】
１０…印刷プルーフ作成装置        １２…印刷機
１４…色変換部                    １６…プリンタ
１８…色変換テーブル作成部        １９…印刷プロファイル記憶部
２１…プリンタプロファイル記憶部  ２３…拘束条件取得部
２５…拘束条件記憶部              ２７…拘束条件設定部
２８ａ、２８ｂ…面積率一致範囲    ３０…色一致範囲
３２ａ、３２ｂ…接続範囲
【図１】
0004014354.tif 000002
【図２】
0004014354.tif 000003
【図３】
0004014354.tif 000004
【図４】
0004014354.tif 000005
【図５】
0004014354.tif 000006
【図６】
0004014354.tif 000007
【図７】
0004014354.tif 000008
【図８】
0004014354.tif 000009